(57)【要約】【課題】横臥者の背中などをマットレスで過度に圧迫せずして椅子形状への変換を行える簡便なベッドを提供する。【解決手段】架台１上にマットレスＭを支持する屈曲自在な床板フレーム１０が設けられる。床板フレーム１０は、上体レスト部１１、中央レスト部１２、及び下腿レスト部１３を有して構成される。上体レスト部１１は中央レスト部１２との結節点１４ａを中心に上下方向に旋回して架台１上で起伏可能とされ、下腿レスト部１３は中央レスト部１２との結節点１５ａを中心にして水平状態から下方に旋回可能とされる。結節点１４ａは、架台１上で水平状態に倒伏された上体レスト部１１上におけるマットレスＭの底面Ｍ１よりも高くなる位置に設定され、結節点１５ａも、架台１上で水平状態とされた下腿レスト部１３上におけるマットレスＭの底面Ｍ１よりも高くなる位置に設定される。【選択図】図１
2008220885.tif 000002
【特許請求の範囲】
【請求項１】
架台上にマットレスを支持する屈曲自在な床板フレームが設けられ、
その床板フレームが、横臥者の上半身を支持するための上体レスト部、横臥者の臀部を支持するための中央レスト部、及び横臥者の下腿部を支持するための下腿レスト部を有し、
前記上体レスト部が前記中央レスト部との結節点を中心に上下方向に旋回して前記架台上で起伏可能とされると共に、前記下腿レスト部が前記中央レスト部との結節点を中心にして水平状態から下方に旋回可能とされるベッドにおいて、
前記上体レスト部と前記中央レスト部との結節点が、前記架台上で水平状態に倒伏された上体レスト部上におけるマットレスの底面よりも高くなる位置に設定されていることを特徴とするベッド。
【請求項２】
前記下腿レスト部と前記中央レスト部との結節点が、前記架台上で水平状態とされた下腿レスト部上におけるマットレスの底面よりも高くなる位置に設定されていることを特徴とする請求項１記載のベッド。
【請求項３】
上体レスト部と架台が上体レスト部を起伏させるためのリクライニング機構を介して連結される一方、
前記下腿レスト部はその幅方向に平行な水平軸回りに回動可能にして前記架台の一端部に連結され、前記リクライニング機構の駆動により前記上体レスト部の起伏動作が行われるとき、その起伏動作に連動して前記下腿レスト部が前記水平軸回りに回動しながら前記中央レスト部との結節点を中心に上下方向に旋回することを特徴とする請求項１、又は２記載のベッド。
【請求項４】
前記中央レスト部は、前記上体レスト部および前記下腿レスト部が水平状態にされた時その両者間に傾斜状態に介在して前記上体レスト部側よりも前記下腿レスト部側が高くなることを特徴とする請求項１〜３のいずれかに記載のベッド。
【発明の詳細な説明】
【技術分野】
【０００１】
本発明は、椅子形状に変換可能なベッドに係わり、特に横臥者の背中などをマットレスで過度に圧迫せずして椅子形状への変換を行えるようにしたベッドに関する。
【背景技術】
【０００２】
従来、身障者や病弱な高齢者を主たる対象として、横臥者を着座姿勢にするべく椅子形状に変換可能な種々のベッドが開発されている。
【０００３】
例えば、ヘッド側からフット側にかけて、上体レスト部（背部フレーム）と中央レスト部（座部レスト部）と下腿レスト部（下腿部フレームおよび足部フレーム）とを順番に配設して屈曲自在な床板フレーム（床フレーム体）を形成し、その床板フレームをフラットな状態から椅子形状に屈曲させたとき、中央レスト部の下方に下腿レスト部（足部フレーム）が位置するようにした介護ベッドが提案されている（特許文献１）。
【０００４】
又、ベースフレーム上に昇降可能なサイドフレームを設けると共に、サイドフレームのヘッド側とフット側にそれぞれスライドフレームを挿入し、それらスライドフレームとサイドフレームとにより形成されるベッド床面上に、ヒンジ接続される上体レスト部（背上げフレーム）、中央レスト部（第１膝上げフレーム）、及び下腿レスト部（第２膝上げフレーム）を設けたものが知られる（例えば、特許文献２）。
【０００５】
【特許文献１】実開平６−６４６３５号公報
【０００６】
【特許文献２】特開２００１−１９８１６５号公報
【発明の開示】
【発明が解決しようとする課題】
【０００７】
しかしながら、特許文献１、２に開示されるベッドによれば、上体レスト部と中央レスト部とを結合するヒンジ部、及び下腿レスト部と中央レスト部とを結合するヒンジ部が、それぞれフラット状に展開された床板フレームと同一平面内にあって、該床板フレーム上に敷かれるマットレスの底面よりも低くなる位置に設定されていることから、床板フレームを椅子形状に変換するとき、マットレスがその底面側を中心にして折り曲げられ、その皺寄せにより横臥者の身体と密着している表面側が押し出されるようになる。
【０００８】
このため、椅子形状への変換中に横臥者の背中や臀部がマットレスにより強く圧迫されるようになることから、横臥者に不快感を与えてしまうという問題がある。
【０００９】
尚、特許文献１のように、細分化したマットレスを各フレーム上に間隔をあけて取り付ける構成では、市販のマットレスを利用することはできないし、上体レスト部（背部フレーム）上のマットレスは上体レスト部（背部フレーム）と中央レスト部（座部フレーム）との間に位置にするヒンジ部を中心にして起伏されるので、背上げに際して横臥者の背中などがマットレスで圧迫されることを免れない。
【００１０】
本発明は以上のような事情に鑑みて成されたものであり、その主たる目的は横臥者の背中などをマットレスで過度に圧迫せずして椅子形状への変換を行える簡便なベッドを提供することにある。
【課題を解決するための手段】
【００１１】
本発明は上記目的を達成するため、
架台上にマットレスを支持する屈曲自在な床板フレームが設けられ、
その床板フレームが、横臥者の上半身を支持するための上体レスト部、横臥者の臀部を支持するための中央レスト部、及び横臥者の下腿部を支持するための下腿レスト部を有し、
前記上体レスト部が前記中央レスト部との結節点を中心に上下方向に旋回して前記架台上で起伏可能とされると共に、前記下腿レスト部が前記中央レスト部との結節点を中心にして水平状態から下方に旋回可能とされるベッドにおいて、
前記上体レスト部と前記中央レスト部との結節点が、前記架台上で水平状態に倒伏された上体レスト部上におけるマットレスの底面よりも高くなる位置に設定されていることを特徴とする。
【００１２】
加えて、前記下腿レスト部と前記中央レスト部との結節点が、前記架台上で水平状態とされた下腿レスト部上におけるマットレスの底面よりも高くなる位置に設定されていることを特徴とする。
【００１３】
又、上記のように構成されるベッドにおいて、上体レスト部と架台が上体レスト部を起伏させるためのリクライニング機構を介して連結される一方、
前記下腿レスト部はその幅方向に平行な水平軸回りに回動可能にして前記架台の一端部に連結され、前記リクライニング機構の駆動により前記上体レスト部の起伏動作が行われるとき、その起伏動作に連動して前記下腿レスト部が前記水平軸回りに回動しながら前記中央レスト部との結節点を中心に上下方向に旋回することを特徴とする。
【００１４】
更に、前記中央レスト部は、前記上体レスト部および前記下腿レスト部が水平状態にされた時その両者間に傾斜状態に介在して前記上体レスト部側よりも前記下腿レスト部側が高くなることを特徴とする。
【発明の効果】
【００１５】
本発明によれば、上体レスト部と中央レスト部との結節点が、架台上で水平状態に倒伏された上体レスト部上におけるマットレスの底面よりも高くなる位置に設定されることから、上体レスト部の起伏時にマットレスの表面側が伸縮せず、それ故に上体レスト部の起伏時に横臥者の背中や臀部がマットレスで強く圧迫されたり擦られたりすることを防止することができる。
【００１６】
加えて、下腿レスト部と中央レスト部との結節点が、架台上で水平状態とされた下腿レスト部上におけるマットレスの底面よりも高くなる位置に設定されることから、下腿レスト部の旋回によるマットレスの折れ曲がりによっても、マットレスの表面側が伸縮せず、横臥者の下腿部がマットレスで強く圧迫されたり擦られたりせず、横臥者に違和感、不快感を与えない。
【００１７】
又、上体レスト部と架台が上体レスト部を起伏させるためのリクライニング機構を介して連結される一方、下腿レスト部がその幅方向に平行な水平軸回りに回動可能にして架台の一端部に連結され、リクライニング機構の駆動により上体レスト部の起伏動作が行われるとき、その起伏動作に連動して下腿レスト部が水平軸回りに回動しながら中央レスト部との結節点を中心に上下方向に旋回するようにしていることから、椅子形状への変換時に下腿レスト部が架台から大きく張り出して部屋の壁などに干渉することを防止できる。
【００１８】
しかも、中央レスト部は、上体レスト部および下腿レスト部が水平状態にされた時その両者間に傾斜状態に介在して上体レスト部側よりも下腿レスト部側が高くなる構成とされていることから、上体レスト部を起立させるとき横臥者の臀部が下腿レスト部側に押し出されることを防止できるほか、下腿レスト部と中央レスト部との結節点を思案点とせずして下腿レスト部を水平状態から下方へ確実に旋回させることができる。
【発明を実施するための最良の形態】
【００１９】
以下、図面に基づいて本発明に係るベッドの構成を詳しく説明する。図１、図２は係るベッドを示した側面概略図であり、図１はベッドとしての使用態様を示し、図２は椅子形状に変換した状態を示す。
【００２０】
図１、図２において、１は架台であり、この架台１は矩形のベース２と該ベースの前後左右に固着される支柱３，４とにより構成される。このうち、ベース２には上方に突出する左右一対のブラケット５が固設され、そのブラケット５で主軸６が回転自在に支持されている。主軸６の中央にはクランク腕７が固着され、そのクランク腕７と架台のベース２がアクチュエータ８により連結されている。本例において、アクチュエータ８は伸縮ロッド８ａを有するシリンダ装置であり、その本体部８ｂがベース２に回動自在に取り付けられ、伸縮ロッド８ａが本体部８ｂに内蔵されるモータの駆動により伸縮するようになっている。
【００２１】
一方、１０は架台１上に設けられる屈曲自在な床板フレームで、この床板フレーム１０によりマットレスＭが支持されるようになっている。係る床板フレーム１０は、横臥者の上半身を支持するための上体レスト部１１、横臥者の臀部を支持するための中央レスト部１２、及び横臥者の下腿部を支持するための下腿レスト部１３に区分されており、このうち上体レスト部１１と中央レスト部１２が第１ヒンジ部１４により屈曲可能に結合され、中央レスト部１２と下腿レスト部１３が第２ヒンジ部１５により屈曲可能に結合されている。
【００２２】
尚、第１ヒンジ部１４は、上体レスト部１１と中央レスト部１２の左右両側に直角に立ち上がる側板１１ａ，１２ａの一端部同士を重ね合わせ、その両者の側板１１ａ，１２ａをヒンジピン１４ａにて接合することにより構成される。又、第２ヒンジ部１５は、中央レスト部１２と下腿レスト部１３の左右両側に直角に立ち上がる側板１２ａ，１３ａの一端部同士を重ね合わせ、その両者の側板１２ａ，１３ａをヒンジピン１５ａにて接合することにより構成される。
【００２３】
これにより、上体レスト部１１は中央レスト部１２との結節点（ヒンジピン１４ａ）を中心に上下方向に旋回して架台１上での起伏が可能とされ、下腿レスト部１３は中央レスト部１２との結節点（ヒンジピン１５ａ）を中心に水平状態から下方に旋回可能とされている。
【００２４】
特に、図１から明らかなように、上体レスト部１１と中央レスト部１２との結節点を成すヒンジピン１４ａは、架台１上で水平状態に倒伏された上体レスト部１１上におけるマットレスＭの底面Ｍ１よりも高くなる位置に設定されると共に、中央レスト部１２と下腿レスト部１３との結節点を成すヒンジピン１５ａも架台１上で水平状態とされた下腿レスト部１３上におけるマットレスＭの底面Ｍ１よりも高くなる位置に設定されている。これによれば、床板フレーム１０上に敷かれたマットレスＭが床板フレーム１０の屈曲に合わせてヒンジピン１４ａ，１５ａの位置で屈曲されるために、マットレスＭに密着する横臥者の身体部位を強く圧迫せずして図２のような椅子形状に変換することができる。
【００２５】
ここに、上体レスト部１１の裏面には左右一対のアーム１６が固着され、その各先端部がクランク腕７を挟んで主軸６の両端部に固着されている。アーム１６は、上体レスト部１１を起伏させるリクライニング機構を構成するものであり、該アーム１６をアクチュエータ８の伸縮により主軸６回りに旋回駆動させることで架台１上での上体レスト部１１の起伏動作が行われる構成とされている。
【００２６】
尚、上体レスト部１１は、架台１上での起伏動作に際してヒンジピン１４ａを中心に上下方向に旋回するが、そのヒンジピン１４ａは主軸６回りに移動する移動支点となるもので、上体レスト部１１がヒンジピン１４ａを中心に上方旋回して起立されるとき、当該ヒンジピン１４ａが中央レスト部１２側に移動されるようにしてある。ここに、本例では上体レスト部１１の倒伏時に主軸６とヒンジピン１４ａとを結ぶ線分が水平面に対して４５度になるよう設定され、椅子形状への変換時にはヒンジピン１４ａが主軸６回りに９０度旋回するようにしてあるので、ベッドとしての使用態様と椅子形状とで中央レスト部１２の高さが不変となる。換言すれば、主軸６とヒンジピン１４ａの位置関係を変えることにより、椅子形状に変換したときの中央レスト部１２の高さを高くしたり低くしたりすることが可能となる。
【００２７】
又、図１、図２において、下腿レスト部１３の裏面には左右一対のブラケット１７が固着され、そのブラケット１７が下腿レスト部１３側の支柱４の上端部に結合されている。１８は下腿レスト部１３のブラケット１７と架台１の支柱４とを結合する横架軸で、この横架軸１８は下腿レスト部１３の幅方向に平行して支柱４，４の間に水平状に架設されている。しかして、下腿レスト部１３は横架軸１８（水平軸）回りに回動可能にして架台１の一端部に連結され、上記リクライニング機構により上体レスト部１１の起伏動作が行われるとき、その起伏動作に連動して下腿レスト部１３が横架軸１８回りに回動しながらヒンジピン１５ａを中心に上下方向に旋回する構成となっている。
【００２８】
尚、図１のように、上体レスト部１１の倒伏時において、該上体レスト部１１と下腿レスト部１３は架台１の支柱３，４にて水平状態に支持されるが、このとき中央レスト部１２は上体レスト部１１と下腿レスト部１３との間に傾斜状に介在し、上体レスト部１１側よりも下腿レスト部１３側が高くなるようにされており、このため上体レスト部１１を起立させるとき、ヒンジピン１５ａを思案点とせずして下腿レスト部１３を水平状態から下方へ確実に旋回させることが可能とされている。
【００２９】
次に、図３は床板フレームの展開図を示す。図１〜図３から明らかなように、上体レスト部１１は、その左右両側に上記側板１１ａを有するほか、中央レスト部１２とは反対のヘッド側の一端縁にはヘッドフレーム１１ｂが設けられる。又、中央レスト部１２と下腿レスト部１３も上記の如く左右一対の側板１２ａ，１３ａを有しているが、その両者１２，１３はヒンジピン１５ａの位置での屈曲を許容するべく間隔をあけて結合され、その間隔が中央レスト部１２と下腿レスト部１３との屈伸により開閉するようになっている。
【００３０】
尚、中央レスト部１２と下腿レスト部１３との間には、その両者を伸展させたときマットレスが横臥者の体重を受けて下方に落ち込まぬよう上記間隔を埋める支持板１９が設けられる。又、下腿レスト部１３には、中央レスト部１２とは反対のフット側の一端にフットフレーム１３ｂが設けられる。そして、マットレスは、各レスト部１１〜１３の側板１１ａ，１２ａ，１３ａ、ヘッドフレーム１１ｂ、及びフットフレーム１３ｂで囲まれる枠内に嵌め込まれ、床板フレーム１０から離脱せぬように保持されている。
【００３１】
次に、図４は図１のＸ−Ｘ線における拡大断面を示す。この図で明らかなように、本例によれば、ヒンジピン１５ａはマットレスＭの表面Ｍ２と略同じ高さとなる位置に設定されている。尚、図４には上体レスト部１１と中央レスト部１２との結節点を成すヒンジピン１４ａを示していないが、本例では係るヒンジピン１４ａもマットレスＭの表面Ｍ２と略同じ高さになる位置に設定されている。
【００３２】
又、図５のように、支持板１９はその一端がヒンジ金具２０により中央レスト部１２に連結されており、該支持板１９の他端両側には下腿レスト部１３の部位に係合するスライドピン１９ａが設けられる。図４、図５において、２１はスライドピン１９ａを摺動可能に支持するスライドガイドであり、このスライドガイド２１はブラケット１７，１７の内側で下腿レスト部１３の裏面に固着されている。尚、本例において、スライドガイド２１は支持板１９のスライドピン１９ａを嵌めこむ長孔２１ａを穿設した平板とされるが、これをＬ型にして、支持板１９の両側縁を摺動自在に抱え込む構成としてもよい。
【００３３】
ここで、以上のように構成される本願ベッドの作用について説明する。先ず、図１において、上体レスト部１１が架台１上で水平状態に倒伏されているとき、下腿レスト部１３も架台１上で水平状態に支持されている。又、中央レスト部１２は上体レスト部１１と下腿レスト部１３との間に傾斜状態で介在し、下腿レスト部１３側が上体レスト部１１側よりも若干高くなっている。そして、この状態の床板フレーム１０上にはマットレスＭを介して横臥者が横臥可能とされる。
【００３４】
一方、図１の状態において、アクチュエータ８を駆動してその伸縮ロッド８ａを伸長させると、アーム１６が主軸６回りに上方旋回されることにより、上体レスト部１１も主軸６回りに旋回移動されるヒンジピン１４ａを中心として上方旋回する。又、アーム１６の旋回力は上体レスト部１１から中央レスト部１２に伝達され、その中央レスト部１２によりヒンジピン１４ａが図１の左上方に押し込まれるようになるために、架台１との連結により図１の左方への移動が拘束されている下腿レスト部１３は、ヒンジピン１５ａを中心に下方旋回を始め、これが架台１との結節点である横架軸１８（水平軸）回りに回動される。しかして、上体レスト部１１が略垂直となるまで起立されるほか、中央レスト部１２と下腿レスト部１３が鋭角状に屈曲し、略水平とされる中央レスト部１２の下方に下腿レスト部１３が入り込み、床板フレーム１０が全体として中央レスト部１２を座面とする図２のような椅子形状に屈曲する。
【００３５】
尚、図２に示される椅子形状に変換した状態では、横臥者は着座者となり、脚を鋭角状に折り曲げて自ら立ち上がることができるほか、着座姿勢のままで食事をすることもできる。
【００３６】
以上、本発明に係るベッドの構成例を説明したが、係るベッドは上記例に限定されるものでなく、例えばリクライニング機構として、アーム１６に主軸６より上方で図示せぬ軸を架設し、その軸にアクチュエータ８を接続するようにしてもよい。
【００３７】
又、図６のように、中央レスト部１２と下腿レスト部１３とをリンク２２，２３を介して架台の支柱４に連結し、中央レスト部１２と架台１とを繋ぐリンク２２に支持板２４を固着し、その支持板２４により中央レスト部１２と下腿レスト部１３との間でマットレスが支持されるようにしてよい。
【００３８】
更に、上記例ではヒンジピン１４ａ，１５ａをマットレスＭの表面Ｍ２と略同じ高さとなる位置に設定したが、それらヒンジピン１４ａ、１５ａをマットレスＭの表面Ｍ２よりも高くなる位置に設定してもよいし、マットレスＭの厚さ方向中間付近となる位置に設定してもよい。
【図面の簡単な説明】
【００３９】
【図１】本発明に係るベッドを示す側面概略図（ベッドとしての使用態様）
【図２】同ベッドを椅子形状に変換した状態を示す側面概略図
【図３】床板フレームの平面概略図
【図４】図１のＸ−Ｘ拡大断面図
【図５】中央レスト部と下腿レスト部との結合部分を示す部分拡大断面図
【図６】本発明の変更例を示す部分拡大図
【符号の説明】
【００４０】
１  架台
６  主軸
８  アクチュエータ
１０  床板フレーム
１１  上体レスト部
１２  中央レスト部
１３  下腿レスト部
１４  第１ヒンジ部
１４ａ  ヒンジピン（上体レスト部と中央レスト部の結節点）
１５  第２ヒンジ部
１５ａ  ヒンジピン（中央レスト部と下腿レスト部の結節点）
１６  アーム
１８  横架軸（下腿レスト部の回動中心となる水平軸）
【図１】
2008220885.tif 000003
【図２】
2008220885.tif 000004
【図３】
2008220885.tif 000005
【図４】
2008220885.tif 000006
【図５】
2008220885.tif 000007
【図６】
2008220885.tif 000008